(57)【要約】液透過性のトップシートと液不透過性のバックシートとの間に吸収体が配置された吸収性物品であって、前記吸収性物品の長手方向の一方の端部の幅が他方の端部の幅よりも大きいことを特徴とする吸収性物品。
2014208363.tif 000002
【特許請求の範囲】
【請求項１】
液透過性のトップシート（２）と液不透過性のバックシート（３）との間に吸収体（４）が配置された吸収性物品であって、
前記吸収性物品の長手方向（Ｌ）の一方の端部(５)の幅（Ｗ５）が他方の端部(６)の幅（Ｗ６）よりも大きいことを特徴とする、吸収性物品。
【請求項２】
前記吸収体（４）の一方の端部（４１）の幅（Ｗ４１）が他方の端部（４２）の幅（Ｗ４２）よりも大きい請求項１に記載の吸収性物品。
【請求項３】
前記長手方向（Ｌ）に延びる前記吸収性物品の両側部（１Ｓ）、（２Ｓ）から前記長手方向（Ｌ）に交差する幅方向（Ｗ）の外側に向かって突出するウイング（１４）を更に備える、請求項１に記載の吸収性物品。
【請求項４】
前記吸収性物品の両端部（５）、（６）の中間部（５６）に、吸収体（４）側へ向かう内側に凹んだ一対の凹部（１２）と、前記内側とは反対の外側へ突出した一対の凸部（１３）とを備える、請求項１に記載の吸収性物品。
【請求項５】
前記吸収性物品は前記長手方向（Ｌ）に延びる各側部（１Ｓ）、（２Ｓ）において、前記長手方向に延びるカフ（１５）を有し、
前記各カフ（１５）の外側の側縁（１５Ｌ）は前記側部に沿って斜めに延び、
前記各カフ（１５）の内側の側縁（１５Ｍ）は、前記長手方向（Ｌ）に交差する幅方向（Ｘ）に前記吸収性物品を２等分する中心線（ＣＬ）に対し平行に延びるように設定されている請求項１に記載の吸収性物品。
【請求項６】
請求項１〜４のいずれか１項に記載されたトップシート（２）、バックシート（３）および吸収体（４）を備えた複数の吸収性物品を連続的に製造する方法であって、
前記トップシート（２）を形成する連続シート（Ｗ２）を供給するトップシート供給工程（Ｓ１）と、
前記複数の吸収性物品における個々の前記吸収体（４）を間欠的に供給する吸収体供給工程（Ｓ２）と、
前記バックシート（３）を形成する連続シート（Ｗ３）を供給するバックシート供給工程（Ｓ３）と、
前記複数の吸収体（４）を前記両連続シート（Ｗ２）、（Ｗ３）の間に挟み込んだ状態で、前記両連続シート(Ｗ２)、（Ｗ３)を互いに接合して連続積層体（８）を形成する接合工程（Ｓ４）と、
前記個々の吸収体のうち互いに隣り合う吸収体（４）の間で前記連続積層体（８）を前記長手方向（Ｌ）に対して第１の方向に傾斜した所定の１つの仮想の第１切断線（Ｌ１）に沿って切断して先行する１つの吸収性物品（１）を切り分ける第１分離工程（Ｓ５１）と、
前記個々の吸収体のうち互いに隣り合う吸収体（４）の間で前記連続積層体（８）を前記長手方向（Ｌ）に対して前記１つの仮想の第１切断線（Ｌ１）とは反対側の第２の方向に傾斜した所定の別の仮想の第２切断線（Ｌ２）に沿って切断して前記先行する吸収性物品（１）の次の吸収性物品（１）を切り分ける第２分離工程（Ｓ５２）とを備え、
前記第１分離工程（Ｓ５１）と前記第２分離工程（Ｓ５２）とを交互に繰り返して個々の吸収性物品（１）を得る製造方法。
【請求項７】
請求項５に記載されたトップシート（２）、バックシート（３）、吸収体（４）および一対のカフ（１５）を備えた複数の吸収性物品を連続的に製造する方法であって、
前記トップシート（２）を形成する連続シート（Ｗ２）を供給するトップシート供給工程（Ｓ１）と、
前記複数の吸収性物品における個々の前記吸収体（４）を間欠的に供給する吸収体供給工程（Ｓ２）と、
前記バックシート（３）を形成する連続シート（Ｗ３）を供給するバックシート供給工程（Ｓ３）と、
前記複数の吸収体（４）を前記両連続シート（Ｗ２）、（Ｗ３）の間に挟み込んだ状態で、前記両連続シート(Ｗ２)、（Ｗ３)を互いに接合して連続積層体（８）を形成する接合工程（Ｓ４）と、
２ｎ個のカフ（１５）となる長方形状のｎ個のカフ部材（１５Ｃ）の長手方向（Ｌ）が前記連続積層体（８）の搬送方向（Ｆ）に対して直交するように前記カフ部材（１５Ｃ）を前記個々の吸収体のうち互いに隣り合う吸収体（４）の間において前記連続積層体（８）上に間欠的に次々に配置する工程（Ｓ４１）と、
前記個々の吸収体のうち互いに隣り合う吸収体（４）の間で前記連続積層体（８）および前記カフ部材（１５Ｃ）を前記長手方向（Ｌ）に対して第１の方向に傾斜した所定の１つの仮想の第１切断線（Ｌ１）に沿って切断して、前記ｎ個のカフ部材（１５Ｃ）のうちの１つのカフ部材（１５Ｃ）を切り分けると共に、先行する１つの吸収性物品（１）を切り分ける第１分離工程（Ｓ５１）と、
前記個々の吸収体のうち互いに隣り合う吸収体（４）の間で前記連続積層体（８）および前記カフ部材（１５Ｃ）を前記長手方向（Ｌ）に対して前記１つの仮想の第１切断線（Ｌ１）とは反対側の第２の方向に傾斜した所定の別の仮想の第２切断線（Ｌ２）に沿って切断して、前記ｎ個のカフ部材（１５Ｃ）のうちの１つのカフ部材（１５Ｃ）を切り分けると共に、前記先行する吸収性物品（１）の次の吸収性物品（１）を切り分ける第２分離工程（Ｓ５２）とを備え、
前記第１分離工程（Ｓ５１）と前記第２分離工程（Ｓ５２）とを交互に繰り返して個々の吸収性物品（１）を得る製造方法。
【発明の詳細な説明】
【技術分野】
【０００１】
本発明は生理用ナプキンや失禁用尿パッド等の吸収性物品とその製造方法に関する。
【背景技術】
【０００２】
一般に生理用ナプキン等の吸収性物品は、液透過性のトップシートと液不透過性のバックシートとの間に吸収体を挟み込んで連続積層体を形成し、この連続積層体を略長方形の外形形状に沿って切り出すことで得られる(例えば、特許文献１参照。)。また、この種の吸収性物品は、必要に応じて長辺となっている両側部に、吸収性物品を下着のクロッチ部に取り付けるためのウイングが形成される(例えば、特許文献２参照。)。
【先行技術文献】
【特許文献】
【０００３】
【特許文献１】ＪＰ２００７−６９２３Ａ
【特許文献２】ＪＰ０４−３００５４７Ａ
【発明の概要】
【０００４】
前記吸収性物品は、幅を広くして形成すると、吸収量を高めることができるうえ、装着者の尻部側を広範囲にわたって覆うことができる。しかし、前後の中間部分の幅が過大になると装着時に違和感が生じ、フィット性の低下するおそれがある。
【０００５】
本発明の目的は、フィット性に優れ、かつ、吸収性能を高めることができ、更に材料の無駄を少なく抑えて効率よく生産できる、吸収性物品とその製造方法を提供することである。
【０００６】
本発明の吸収性物品は、液透過性のトップシート（２）と液不透過性のバックシート（３）との間に吸収体（４）が配置された吸収性物品であって、
前記吸収性物品の長手方向（Ｌ）の一方の端部（５）の幅（Ｗ５）が他方の端部（６）の幅（Ｗ６）よりも大きい。
【０００７】
本発明の吸収性物品は、一方の端部の幅が他方の端部の幅よりも大きいので、この幅が大きい一方の端部を装着者の後ろ側に配置することで、装着者の尻部側を広範囲にわたって覆うことができる。更に、狭い前側部分に応じて前後の中間部分の幅が過大になることがない。したがって、同吸収性物品は良好なフィット性を維持することができる。
【０００８】
前記吸収体について、広幅に形成した前記吸収性物品の一方の端部に応じて、吸収性物品の長手方向の後ろ側部分に収容される同吸収体の収容量を多くして、収容面積を大きくしてもよい。
すなわち、前記吸収体は、平面視で長方形であってもよいが、好ましくは、吸収性物品の外形に合わせて一方の端部の幅が他方の端部の幅よりも大きくてもよい。この場合、体液を素早く吸収でき、また、吸収量を多くできるなど、吸収性物品の高い吸収性能を発揮できる。
【０００９】
前記吸収性物品は前記長手方向に延びる各側部において、前記長手方向に延びるカフを有し、
前記各カフの外側の側縁は前記側部に沿って斜めに延び、
前記各カフの内側の側縁は、前記長手方向に交差する幅方向に前記吸収性物品を２等分する中心線に対し平行に延びるように設定されていてもよい。
この場合、前記長手方向におけるカフの一方の端部の幅が他方の端部の幅よりも大きくなり、前記吸収性物品にカフをしっかりと取り付けることができるだろう。
【００１０】
本発明のある製造方法は、複数の前記吸収性物品を連続的に製造する方法であって、
前記トップシート（２）を形成する連続シート（Ｗ２）を供給するトップシート供給工程（Ｓ１）と、
前記複数の吸収性物品における個々の前記吸収体（４）を間欠的に供給する吸収体供給工程（Ｓ２）と、
前記バックシート（３）を形成する連続シート（Ｗ３）を供給するバックシート供給工程（Ｓ３）と、
前記複数の吸収体（４）を前記両連続シート（Ｗ２）、（Ｗ３）の間に挟み込んだ状態で、前記両連続シート(Ｗ２)、（Ｗ３)を互いに接合して連続積層体（８）を形成する接合工程（Ｓ４）と、
前記個々の吸収体のうち互いに隣り合う吸収体（４）の間で前記連続積層体（８）を前記長手方向（Ｌ）に対して第１の方向に傾斜した所定の１つの仮想の第１切断線（Ｌ１）に沿って切断して先行する１つの吸収性物品（１）を切り分ける第１分離工程（Ｓ５１）と、
前記個々の吸収体のうち互いに隣り合う吸収体（４）の間で前記連続積層体（８）を前記長手方向（Ｌ）に対して前記１つの仮想の第１切断線（Ｌ１）とは反対側の第２の方向に傾斜した所定の別の仮想の第２切断線（Ｌ２）に沿って切断して前記先行する吸収性物品（１）の次の吸収性物品（１）を切り分ける第２分離工程（Ｓ５２）とを備え、
前記第１分離工程（Ｓ５１）と前記第２分離工程（Ｓ５２）とを交互に繰り返して個々の吸収性物品（１）を得る。
【００１１】
本製造方法によれば、前記各切断線は前記連続積層体の長手方向に対し傾斜している方向に形成され、且つ直前に吸収性物品を個分けした（切り分けた）際の第１（第２）切断線の傾斜方向とは連続積層体の長手方向を中心に反対側へ第２（第１）切断線を傾斜させている。
前記切断により連続積層体から個分けされた吸収性物品は、長手方向の一方の端部の幅が他方の端部の幅よりも大きい形状となる。個分けされた先行する１つの吸収性物品は隣り合う次の吸収性物品に対し１８０度回転した姿勢となるので、前記切断の際にカットロスが無く、或いはカットロスの発生量が大幅に低減される。そのため、材料の無駄を少なく抑えて効率よく生産することができる。
【００１２】
また、前記各切断線を直線状とすることで、得られる個々の吸収性物品を台形状にしてもよい。あるいは、前記切断線を任意の形状の曲線状として、たとえば着用者の尻部をより広範囲にわたって覆うことができる形状にしたものであってもよい。
また、前記吸収性物品の両端部の間の中間部において、前記各側部に一方の吸収体側へ凹んだ凹部および隣り合う吸収体側へ突出した凸部が形成されるように前記切断線の形状を設定してもよい。この場合、この一対の凸部により吸収性物品の両側部から側方（隣り合う吸収体側）へ突出するウイングを備える吸収性物品とすることができる。
【００１３】
本発明の別の製造方法は、トップシート（２）、バックシート（３）、吸収体（４）および一対のカフ（１５）を備えた複数の吸収性物品を連続的に製造する方法であって、
前記トップシート（２）を形成する連続シート（Ｗ２）を供給するトップシート供給工程（Ｓ１）と、
前記複数の吸収性物品における個々の前記吸収体（４）を間欠的に供給する吸収体供給工程（Ｓ２）と、
前記バックシート（３）を形成する連続シート（Ｗ３）を供給するバックシート供給工程（Ｓ３）と、
前記複数の吸収体（４）を前記両連続シート（Ｗ２）、（Ｗ３）の間に挟み込んだ状態で、前記両連続シート(Ｗ２)、（Ｗ３)を互いに接合して連続積層体（８）を形成する接合工程（Ｓ４）と、
２ｎ個のカフ（１５）となる長方形状のｎ個のカフ部材（１５Ｃ）の長手方向（Ｌ）が前記連続積層体（８）の搬送方向（Ｆ）に対して直交するように前記カフ部材（１５Ｃ）を前記個々の吸収体のうち互いに隣り合う吸収体（４）の間において前記連続積層体（８）上に間欠的に次々に配置する工程（Ｓ４１）と、
前記個々の吸収体のうち互いに隣り合う吸収体（４）の間で前記連続積層体（８）および前記カフ部材（１５Ｃ）を前記長手方向（Ｌ）に対して第１の方向に傾斜した所定の１つの仮想の第１切断線（Ｌ１）に沿って切断して、前記ｎ個のカフ部材（１５Ｃ）のうちの１つのカフ部材（１５Ｃ）を切り分けると共に、先行する１つの吸収性物品（１）を切り分ける第１分離工程（Ｓ５１）と、
前記個々の吸収体のうち互いに隣り合う吸収体（４）の間で前記連続積層体（８）および前記カフ部材（１５Ｃ）を前記長手方向（Ｌ）に対して前記１つの仮想の第１切断線（Ｌ１）とは反対側の第２の方向に傾斜した所定の別の仮想の第２切断線（Ｌ２）に沿って切断して、前記ｎ個のカフ部材（１５Ｃ）のうちの１つのカフ部材（１５Ｃ）を切り分けると共に、前記先行する吸収性物品（１）の次の吸収性物品（１）を切り分ける第２分離工程（Ｓ５２）とを備え、
前記第１分離工程（Ｓ５１）と前記第２分離工程（Ｓ５２）とを交互に繰り返して個々の吸収性物品（１）を得る。
【００１４】
本製造方法によれば、長方形状のカフ部材の長手方向が前記連続積層体の搬送方向に対して直交するように前記カフ部材を前記連続積層体上に間欠的に次々と配置するため、前記カフ部材の配置が容易である。
【図面の簡単な説明】
【００１５】
【図１】図１は本発明の第１実施例の吸収性物品を一部破断して示す平面図である。
【図２】図２は同実施例の吸収性物品の製造方法を示す概略構成図である。
【図３】図３は同実施例の分離工程等を示す概略構成図である。
【図４】図４は第２実施例の吸収性物品を一部破断して示す平面図である。
【図５】図５は第３実施例の吸収性物品の製造方法における分離工程等を示す概略構成図である。
【図６】図６は同実施例の吸収性物品の製造方法を示す概略構成図である。
【実施例】
【００１６】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００１７】
以下、本発明の各実施例を図面に基づき説明する。
図１は吸収性物品（１）の第１実施例を示し、本吸収性物品（１）は、液透過性のトップシート（２）と、液不透過性のバックシート（３）と、前記両シート(２、３)の間に配置された吸収体（４）とを備える。
前記トップシート（２）は液透過性であればよく、好ましくは有孔または無孔の不織布や多孔性プラスチックシートなどが用いられ、吸収体（４）の表面を覆っている。前記不織布を構成する素材繊維としては、合成繊維の他、再生繊維、綿等の天然繊維を採用することができ、スパンレース法やサーマルボンド法など、公知の加工法によって得られた不織布を用いることができる。【００１８】
前記バックシート（３）は、吸収体に吸収された体液が外部へ漏れ出ない程度の液不透過性を備えていればよい。たとえば、ポリオレフィン系樹脂シートのほか、ポリエチレンシート等に不織布を積層したラミネート不織布などが用いられ、近年は、ムレ防止の観点から透湿性を有するものが好ましく使用される。
前記吸収体（４）は、フラッフパルプやエアレイド不織布等で形成され、吸水性の高分子ポリマーが含まれていてもよい。装着者から排出された経血等の体液は、トップシート（２）を通してこの吸収体（４）に吸収される。【００１９】
前記トップシート（２）と吸収体（４）との間には、図示しない拡散シートが配置されていてもよい。この拡散シートは、例えば親水化処理された不織布により形成され、これによりトップシート（２）側から流入した体液が吸収体（４）の表面上に広がり、吸収体（４）に速やかに吸収される。【００２０】
前記吸収体（４）とバックシート（３）との間には、例えばティッシュまたは不織布により形成された図示しないキャリアシートが配置されていてもよい。このキャリアシートは、製造工程において連続したウエブ状であり、このキャリアシート上に吸収体（４）が間欠的に配置されて搬送される。【００２１】
前記トップシート（２）の表面（装着者の肌面側）には、図１および図３の仮想線で示すように、両側部（１Ｓ、２Ｓ）に沿って一対の立体カフ（１５）（サイドシートともいう。）が設けられていてもよい。この立体カフ（１５）は、例えば撥水性または疎水性の不織布で形成され、立体的に立ち上がる。これにより、体液の横漏れが防止される。【００２２】
図１に示すように、この吸収性物品（１）は平面視において台形に形成されている。前記長手方向（Ｌ）の一方の端部（５）の幅（Ｗ５）が他方の端部（６）の幅（Ｗ６）よりも大きい。前記広幅の端部（５）は身体の後ろ側に配置され、狭幅の端部（６）は身体の前側に配置されて本吸収性物品（１）が装着者に装着される。この吸収性物品（１）は、前記広幅の端部（５）において装着者の尻部側が広範囲にわたって覆われ、しかも、前記一対の端部（５，６）の間の中間部（５６）の幅は過剰に広くない。そのため、良好なフィット性が得られるだろう。
前記吸収性物品（１）の幅方向（Ｗ）の幅が小さすぎると着用時にズレが生じ易いだろう。一方、前記吸収性物品（１）の幅方向（Ｗ）の幅が大きすぎると装着時に違和感が生じフィット性が低下するだろう。このような理由から、前記吸収性物品（１）における狭幅の端部（６）の幅（Ｗ６）に対する広幅の端部（５）の幅（Ｗ５）の比（Ｗ５／Ｗ６）は、好ましくは１．５〜２．２に設定され、より好ましくは１．６〜２．１に設定され、最も好ましくは１．７〜２．０に設定されてもよい。【００２３】
図１に示すように、前記吸収体（４）は、この吸収性物品（１）の外形に沿った例えば略台形状に形成されており、そのため、吸収体（４）の面積が大きくなるだろう。例えば、前記吸収体（４）の長手方向（Ｌ）における一方の端部（４１）の幅（Ｗ４１）の幅方向（Ｗ）の大きさは他方の端部（４２）の幅（Ｗ４２）よりも大きい。これにより、この吸収体（４）に体液が素早く多量に吸収・保持される。
前記吸収体（４）の幅方向（Ｗ）の幅が小さすぎると着用者の体液を十分に吸収できないだろう。一方、前記吸収体（４）の幅方向（Ｗ）の幅が大きすぎると前記吸収体（４）が重くなるだろう。このような理由から、前記吸収体（１）における狭幅の端部（４２）の幅（Ｗ４２）に対する広幅の端部（４１）の幅（Ｗ４１）の比（Ｗ４１／Ｗ４２）は、好ましくは１．６〜２．４に設定され、より好ましくは１．７〜２．３に設定され、最も好ましくは１．８〜２．２に設定されてもよい。
なお、本吸収体（４）の形状は吸収性物品の外形に沿った形状でなくてもよく、例えば平面視が長方形や他の任意の形状であってもよい。【００２４】
次に、前記吸収性物品（１）の製造方法の第１実施例について説明する。
図２に示すように、前記吸収性物品（１）の製造方法は、トップシート供給工程（Ｓ１）と、吸収体供給工程（Ｓ２）と、バックシート供給工程（Ｓ３）と、接合工程（Ｓ４）と、第１分離工程（Ｓ５１）と、第２分離工程（Ｓ５２）とを備える。【００２５】
前記バックシート供給工程（Ｓ３）では、前記バックシート（３）を形成する連続ウエブ（連続シートの一例）（Ｗ３）が連続的に供給される。
前記吸収体供給工程（Ｓ２）では、前記吸収体（４）がバックシート（３）を形成する前記連続ウエブ（Ｗ３）上に間欠供給装置（７）により間欠的に供給される。供給される吸収体（４）は先行する吸収体（４）に対し１８０度回転された姿勢で配置される。
前記トップシート供給工程（Ｓ１）では、前記トップシート（２）を形成する連続ウエブ（連続シートの一例）（Ｗ２）がバックシート（３）を形成する連続ウエブ（Ｗ３）および前記吸収体（４）の上方へ連続的に供給される。すなわち、前記吸収体（４）は前記両連続ウエブ（Ｗ２、Ｗ３）の間に挟み込まれる。【００２６】
次に、前記接合工程（Ｓ４）において、両連続ウエブ（Ｗ２、Ｗ３）が前記吸収体（４）をその間に挟み込んだ状態で接合装置（９）により互いに接合されて、連続積層体（８）が形成される。
その後、図２および図３に示すように、第１分離工程（Ｓ５１）において、前記連続積層体（８）が第１切断装置(１０１)により、互いに隣り合う吸収体(４，４)の間での第１切断線（Ｌ１）に沿って切断され、個々の吸収性物品（１）に個分けされる（切り分けられる）。続いて、図３に示すように、第２分離工程（Ｓ５２）において、前記連続積層体（８）が第２切断装置（１０２）により、互いに隣り合う吸収体（４、４）の間において第２切断線（Ｌ２）に沿って切断され、個々の吸収性物品（１）に個分けされる。【００２７】
以下、前記第１および第２分離工程（Ｓ５１、Ｓ５２）について詳述する。
図３に示すように、前記第１分離工程（Ｓ５１）において、第１切断線（Ｌ１）は個分けされる吸収性物品（１）の長手方向（Ｌ）、即ち前記連続積層体（８）の長手方向（Ｌ）に対し第１の方向に傾斜して形成されている。この第１切断線（Ｌ１）に沿って前記連続積層体（８）が切断され、先行する１つの吸収性物品（１）が切り分けられる。一方、前記第２分離工程（Ｓ５２）において、前記第１切断線（Ｌ１）よりも上流側の第２切断線（Ｌ２）は前記連続積層体（８）の長手方向（Ｌ）に対し第２の方向に傾斜して形成されている。この第２切断線（Ｌ２）に沿って前記連続積層体（８）が切断され、前記先行する吸収性物品（１）の次の吸収性物品（１）が切り分けられる。
すなわち、前記第１および第２切断線（Ｌ１、Ｌ２）の傾斜方向は、前記連続積層体（８）の切断ごとに、直前に吸収性物品（１）を個分けした際の切断線の傾斜方向に対し前記長手方向（Ｌ）を中心に反対側へ傾斜する。
換言すれば、図１に示すように、前記吸収性物品（１）において、前記長手方向（Ｌ）に対して所定の角度Ｂをなすように第１側部（１Ｓ）が形成され、一方、前記長手方向（Ｌ）に対して所定の角度−Ｂをなすように第２側部（２Ｓ）が形成される。
すなわち、長手方向（Ｌ）に平行な中心線（ＣＬ）を中心に両側部（１Ｓ、２Ｓ）が線対称の形状に形成されている。
この結果、個分けされた各吸収性物品（１）は、隣り合う吸収性物品（１）とは同形同大で先行する吸収性物品（１）に対し１８０度回転された姿勢となり、前記切断の際にカットロスを生じない。【００２８】
本実施例では前記第１および第２切断線（Ｌ１、Ｌ２）を直線状に形成したので、その切断によるカットロスを生じないが、本発明では各切断線（Ｌ１、Ｌ２）は連続積層体（８）の長手方向（Ｌ）に対し傾斜していればよく、任意の曲線に形成することが可能である。例えば、吸収性物品（１）の四隅に丸みを待たせるような曲線状に切断線を形成し、これによりわずかなカットロスを生じさせてもよい。【００２９】
図４は本発明の吸収性物品（１）の第２実施例を示し、前記両側部（１Ｓ、２Ｓ）が曲線状に形成されている。
本実施例において、前記各側部（１Ｓ、２Ｓ）は、前記両端部（５、６）の間の中間部（５６）において、吸収体（４）側へ向かう内側に凹んだ凹部（１２）と、前記内側とは反対側の外側へ突出した凸部（１３）とを各々備えている。
前記凹部（１２）と前記凸部（１３）とは点Ｏを中心に互いに点対称の形状となっている。前記点Ｏは前記各側部（１Ｓ、２Ｓ）において中心線（ＣＬ）の中心に対応する位置に設定されている。すなわち、一方の端部（５）から前記点Ｏまでの長さ（Ｌ５）と他方の端部（６）から前記点Ｏまでの長さ（Ｌ６）とが等しくなるように前記点Ｏは設定されている。
本実施例の吸収性物品（１）は、前記第１実施例と同様、一方の端部（５）側の幅（Ｗ５）が他方の端部（６）側の幅（Ｗ６）よりも大きい。また、前記両側部（１Ｓ、２Ｓ）には、前記凸部（１３）により形成されたウイング（１４）が側方（幅方向（Ｗ）の外側）へ突出した形状となっている。
なお、トップシート（２）とバックシート（３）との間に配置された吸収体（４）の外形は、この吸収体（４）が両シート(２、３)で確実に覆われるように、前記一対の凹部（１２）に対応した部位が吸収性物品の中央に向かって凹んだ形状となっている。
その他の構成や製造工程等は前記吸収性物品（１）の前記第１実施例と同様であり、同様に作用するので説明を省略する。【００３０】
次に、本発明の吸収性物品（１）の第３実施例について図５に基づいて説明する。
後述する第１および第２分離工程（Ｓ５１、Ｓ５２）において図示しない切断装置により連続積層体（８）が個々の吸収性物品（１）に切り分けられる。前記吸収性物品（１）は長手方向（Ｌ）に延びる各側部（１Ｓ、２Ｓ）において、前記長手方向（Ｌ）に延びるカフ（１５）を有している。前記吸収性物品（１）は前記長手方向（Ｌ）に交差する幅方向（Ｘ）に前記吸収性物品（１）を２等分する中心線（ＣＬ）を中心とした線対称の構造となっている。【００３１】
前記カフ（１５）の外側の側縁（１５Ｌ）は前記側部に沿って斜めに延びている。前記一方の外側の側縁（１５Ｌ）は前記他方の外側の側縁（１５Ｌ）に対して反対の方向に傾斜して延びている。
一方、前記カフ（１５）の内側の側縁（１５Ｍ）は前記中心線（ＣＬ）に対し平行に延びるように設定されている。すなわち、前記内側の側縁（１５Ｍ）は前記幅方向（Ｘ）に直交する方向に延びている。【００３２】
前記カフ（１５）の幅方向（Ｘ）の幅は、前記吸収性物品（１）の広幅の端部（５）側のカフ（１５）の幅（Ｘ１）が前記吸収性物品（１）の挟幅の端部（６）側のカフ（１５）の幅（Ｘ２）よりも大きい。換言すれば、前記カフ（１５）は前記広幅の端部（５）から前記挟幅の端部（６）側に延びるに従い幅が狭くなっている。【００３３】
後述するように、本実施例の吸収性物品（１）は前記長手方向（Ｌ）の両端部においてバックシートが折り返されてポケット（Ｐ）が形成されている。
その他の構成は前記吸収性物品（１）の前記第１実施例と同様であり、同様に作用するので説明を省略する。【００３４】
次に、本発明の製造方法の第２実施例について説明する。本第２実施例は前記第３実施例の吸収性物品（１）を製造する方法である。
図６に示すように、前記吸収性物品（１）の製造方法は、トップシート供給工程（Ｓ１）と、吸収体供給工程（Ｓ２）と、バックシート供給工程（Ｓ３）と、接合工程（Ｓ４）と、カフを配置する工程（Ｓ４１）と、連続ウエブを折り返す工程（Ｓ４２）と、第１分離工程（Ｓ５１）と、第２分離工程（Ｓ５２）とを備える。【００３５】
前記バックシート供給工程（Ｓ３）では、吸収性物品（１）のバックシート（３）を形成する連続ウエブ（連続シートの一例）（Ｗ３）が連続的に供給される。
前記吸収体供給工程（Ｓ２）では、前記吸収体（４）が前記バックシート（３）を形成する前記連続ウエブ（Ｗ３）上に図示しない間欠供給装置により間欠的に供給される。供給される吸収体（４）は先行する吸収体（４）に対し１８０度回転された姿勢で配置される。
前記トップシート供給工程（Ｓ１）では、吸収性物品（１）のトップシート（２）を形成する連続ウエブ（連続シートの一例）（Ｗ２）がバックシート（３）を形成する連続ウエブ（Ｗ３）および前記吸収体（４）の上方へ連続的に供給される。すなわち、前記吸収体（４）は前記両連続ウエブ（Ｗ２、Ｗ３）の間に挟み込まれる。
前記トップシートを形成する連続ウエブ（Ｗ２）の搬送方向（Ｆ）に交差する幅方向（Ｙ）における幅は前記バックシート（３）を形成する連続ウエブ（Ｗ３）の前記方向（Ｙ）における幅よりも小さい。【００３６】
次に、前記接合工程（Ｓ４）において、両連続ウエブ（Ｗ２、Ｗ３）が前記吸収体（４）をその間に挟み込んだ状態で図示しない接合装置により互いに接合されて、連続積層体（８）が形成される。【００３７】
次に、長方形状のカフ部材（１５Ｃ）の長手方向（Ｌ）が前記搬送方向（Ｆ）に直交するように前記カフ部材（１５Ｃ）が前記連続積層体（８）上に間欠的に次々に配置される。各カフ部材（１５Ｃ）は互いに隣り合う吸収体（４）同士の間に配置される。前記カフ部材（１５Ｃ）の長手方向（Ｌ）の幅は前記連続ウエブ（Ｗ３）の前記搬送方向（Ｆ）に交差する幅方向（Ｙ）の幅よりも小さい。
各カフ部材（１５Ｃ）は後の分離工程において２つのカフ（１５）に切り分けられる。なお、図５および図６において前記カフ部材（１５Ｃ）の接着箇所を網点で示す。【００３８】
次に、前記バックシート（３）を形成する連続ウエブ（Ｗ３）の両側縁（Ｗ３１）を折り返す。すなわち、前記幅方向（Ｙ）において前記連続ウエブ（Ｗ２）および前記カフ部材（１５Ｃ）よりも幅が大きい部分を折り返す。折り返された両側縁（Ｗ３１）は前記連続ウエブ（Ｗ２）およびカフ部材（１５Ｃ）に重なる。この折り返し工程（Ｓ４３）により図５に示す個々の吸収性物品（１）におけるポケット（Ｐ）が形成される。【００３９】
その後、第１分離工程（Ｓ５１）において、前記連続積層体（８）および前記カフ部材（１５Ｃ）が図示しない第１切断装置により、互いに隣り合う吸収体（４）の間において第１切断線（Ｌ１）に沿って切断され、前記１つのカフ部材（１５Ｃ）が２つのカフ（１５）に切り分けられると共に、前記連続積層体（８）が個々の吸収性物品（１）に個分けされる（切り分けられる）。
すなわち、本工程（Ｓ５１）において、１つの前記カフ部材（１５Ｃ）は前記カフ部材（１５Ｃ）の前記長手方向（Ｌ）に対して斜めに延びる前記第１切断線（Ｌ１）に沿って切断されて２つのカフ（１５）に切り分けられる。具体的には、１つのカフが他方のカフに対し１８０度回転した姿勢となるように前記カフ部材（１５Ｃ）が２つのカフ（１５）に切り分けられる。【００４０】
続いて、第２分離工程（Ｓ５２）において、前記連続積層体（８）および前記カフ部材（１５Ｃ）が図示しない第２切断装置により、互いに隣り合う吸収体（４）の間において第２切断線（Ｌ２）に沿って切断され、前記１つのカフ部材（１５Ｃ）が２つのカフ（１５）に切り分けられると共に、前記連続積層体（８）が個々の吸収性物品（１）に個分けされる。
すなわち、本工程（Ｓ５２）において、１つの前記カフ部材（１５Ｃ）は前記カフ部材（１５Ｃ）の前記長手方向（Ｌ）に対して斜めに延びる前記第２切断線（Ｌ２）に沿って切断されて２つのカフ（１５）に切り分けられる。具体的には、１つのカフが他方のカフに対し１８０度回転した姿勢となるように前記カフ部材（１５）が２つのカフ（１５）に切り分けられる。【００４１】
前記各実施例で説明した吸収性物品やその製造方法は、本発明の技術的思想を具体化するために例示したものであり、各部材の形状や寸法、材質、製造手順などをこの実施例のものに限定するものではなく、本発明の特許請求の範囲内において種々の変更および修正を加え得るものである。【００４２】
例えば前記実施例では、吸収体供給工程においてバックシートを形成する連続ウエブ上に吸収体を間欠的に配置した。しかし、本発明ではトップシートを形成する連続ウエブ上に吸収体を間欠的に配置してもよく、或いは、図示しないキャリアシート上に吸収体を間欠的に配置して供給するものであってもよい。
また、別体のウイングを吸収性物品に取り付けてもよい。
また、前記吸収性物品の第２実施例において、一方の端部（５）から前記点Ｏまでの長さ（Ｌ５）と他方の端部（６）から前記点Ｏまでの長さ（Ｌ６）とが異なるように前記点Ｏを設定してもよい。
また、前記製造方法の第２実施例において、前記バックシートとなる連続ウエブの幅を前記トップシートとなる連続ウエブの幅と等しくなるようにしてもよい。
また、前記製造方法の第２実施例において、前記カフ部材の長手方向の幅は前記トップシートとなる連続ウエブの幅よりも小さくてもよい。
また、前記製造方法の第２実施例において、前記カフ部材の形状は長方形に限られず、例えば角にアールをつけたものでもよい。
また、本発明の吸収性物品のカフ部材は長手方向に伸縮性を有していてもよい。この場合、前記製造方法の第２実施例においては前記カフ部材の長手方向を前記連続積層体の搬送方向に対して直交するように配置するため、前記カフ部材を前記搬送方向に対して斜めに配置する場合に比べカフ部材を配置し易い。
【産業上の利用可能性】
【００４３】
本発明の吸収性物品は、材料の無駄を少なく抑えて効率よく生産できるうえ、フィット性に優れ、しかも吸収性能を高めることができるので、生理用ナプキンや失禁用尿パッド等に好適である。
【符号の説明】
【００４４】
１：吸収性物品  ２：トップシート  ３：バックシート  ４：吸収体
５：一方の端部(広幅端部)  ６：他方の端部(挟幅端部)
７：間欠供給装置  ８：連続積層体  ９：接合装置  １０１：第１切断装置  １０２：第２切断装置
１２：凹部  １３：凸部  １４：ウイング  １５：立体カフ（カフ）  １５Ｃ：カフ部材  １５Ｍ：カフの内側の側縁  １５Ｌ：カフの外側の側縁
１Ｓ：第１側部  ２Ｓ：第２側部  Ｌ１：第１切断線  Ｌ２：第２切断線
Ｓ１：トップシート供給工程  Ｓ２：吸収体供給工程  Ｓ３：バックシート供給工程Ｓ４接合工程  Ｓ４１：カフ部材の配置工程  Ｓ４２：折り返し工程  Ｓ５１：第１分離工程  Ｓ５２：第２分離工程
ＣＬ：中心線  Ｌ：連続積層体（８）の長手方向  Ｐ：ポケット
【図１】
2014208363.tif 000003
【図２】
2014208363.tif 000004
【図３】
2014208363.tif 000005
【図４】
2014208363.tif 000006
【図５】
2014208363.tif 000007
【図６】
2014208363.tif 000008
【国際調査報告】
2014208363.tif 000009
2014208363.tif 000010
2014208363.tif 000011
2014208363.tif 000012